(57)【要約】      （修正有）【課題】手指を汚すことなく患部、例えば足指の指間に水虫の薬剤を塗布できるようにした薬剤塗布用キャップを提供する。【解決手段】雌ねじ部を押出し容器５０の口部外周面の雄ねじ部に着脱可能に螺合されることによって押出し容器の口部を封鎖しかつ押出し容器内部に連通されるキャップ本体２０と、キャップ本体に一体的にかつ前方に延びて形成され、表面が横断面円弧状をなすとともに、少なくとも前半部の厚みは先端になるほど薄くなっており、患部に擦りつけられることによって薬剤を患部に塗布する塗布へら部３０と、塗布へら部に設けられ、押出し容器の口部に比して小径の閉断面形状をなす薬剤案内通路４０と、薬剤案内通路の終端に形成され、送られてきた薬剤を塗布へら部の前端部の表面に吐出させる小径の吐出口４１と、を備える。【選択図】図１
2010023859.tif 000002
【特許請求の範囲】
【請求項１】
押出し容器からゲル状の薬剤を押し出して患部に塗布するのに用いる薬剤塗布用キャップであって、
雌ねじ部を有し、該雌ねじ部が上記押出し容器の口部外周面に形成された雄ねじ部に着脱可能に螺合されることによって上記押出し容器の口部を封鎖するとともに上記押出し容器内部に連通されるキャップ本体と、
該キャップ本体に一体的にかつ前方に延びて形成され、表面が横断面円弧状をなすとともに、少なくとも前半部の厚みは先端になるほど薄くなっており、患部に擦りつけられることによって薬剤を患部に塗布する塗布へら部と、
該塗布へら部に設けられ、上記押出し容器の口部に比して小径の閉断面形状をなし、上記押出し容器内から押し出された薬剤を上記塗布へら部の前部に向けて案内する薬剤案内通路と、
上記薬剤案内通路の終端に形成され、送られてきた薬剤を上記塗布へら部の前端部の表面に吐出させる小径の吐出口と、
を備えたことを特徴とする薬剤塗布用キャップ。
【請求項２】
上記薬剤案内通路は上記塗布へら部の内部に穿設されている請求項１記載の薬剤塗布用キャップ。
【請求項３】
上記塗布へら部は少なくとも上記薬剤案内通路が形成された部分が透明又は半透明に形成され、上記薬剤案内通路内の薬剤が視認可能となっている請求項２記載の薬剤塗布用キャップ。
【請求項４】
上記塗布へら部は横断面円弧凸状の表面と裏面とを相互に重ね合わせた横断面形状をなしている請求項１記載の薬剤塗布用キャップ。
【発明の詳細な説明】
【技術分野】
【０００１】
本発明は薬剤塗布用キャップに関し、特に手指を汚すことなく患部、例えば足指の指間に水虫の薬剤を塗布できるようにしたキャップに関する。
【背景技術】
【０００２】
足指の股（以下、「指間」という）は湿気が逃げにくく、水虫になりやすい。指間が水虫になると、薬剤を塗布するが、チューブからゲル状の薬剤を押し出して手の指で受け、指間に塗布したり、瓶の先端のスポンジで液状の薬剤を受けて指間に塗布したりすることが行われていた。しかし、手指で薬剤を塗布する場合には塗布後すぐに手指を水などで洗い流す必要があり、スポンジを使う場合には足間の狭い箇所にはスポンジが届き難く、結局のところ手指を使う必要があった。
【０００３】
他方、糊などの高粘性の液体を塗布する場合、チューブの押出し口に取付け、チューブから高粘性液体を押し出し、塗布へら部で塗布するようにした塗布用キャップが知られており（特許文献１、特許文献２）、これらの塗布用キャップを薬剤の塗布に応用することが考えられる。
【０００４】
【特許文献１】実公昭５９−８７７５号公報
【特許文献２】実公昭３９−２６５８１号公報
【発明の開示】
【発明が解決しようとする課題】
【０００５】
しかし、特許文献１記載の塗布用キャップではチューブの出口から塗布へら部までの間に高粘性液体の貯留スペースが設けられているので、薬剤を塗布する場合のように、使用する薬剤の量が少ない時には薬剤が貯留スペースに停まってしまって塗布へら部まで届かず、塗布へら部によって塗布できない。
【０００６】
また、特許文献２記載の塗布用キャップでは液体の吐出口部が広い幅に形成されているので、塗布する薬剤の量がある程度多くないと、薬剤が塗布へら部の全体に行き渡らず、均等に塗布することが難しい。
【０００７】
本発明は、かかる問題点に鑑み、薬剤が少量のときにも手指を汚すことなく確実にかつ均等に塗布できるようにした薬剤塗布用キャップを提供することを課題とする。
【課題を解決するための手段】
【０００８】
そこで、本発明に係る薬剤塗布用キャップは、押出し容器からゲル状の薬剤を押し出して患部に塗布するのに用いる薬剤塗布用キャップであって、雌ねじ部を有し、該雌ねじ部が上記押出し容器の口部外周面に形成された雄ねじ部に着脱可能に螺合されることによって上記押出し容器の口部を封鎖するとともに上記押出し容器内部に連通されるキャップ本体と、該キャップ本体に一体的にかつ前方に延びて形成され、表面が横断面円弧状をなすとともに、少なくとも前半部の厚みは先端になるほど薄くなっており、患部に擦りつけられることによって薬剤を患部に塗布する塗布へら部と、該塗布へら部に設けられ、上記押出し容器の口部に比して小径の閉断面形状をなし、上記押出し容器内から押し出された薬剤を上記塗布へら部の前部に向けて案内する薬剤案内通路と、上記薬剤案内通路の終端に形成され、送られてきた薬剤を上記塗布へら部の前端部の表面に吐出させる小径の吐出口と、を備えたことを特徴とする。
【０００９】
本発明の特徴の１つはキャップ本体に塗布へら部を一体に形成し、塗布へら部に小径閉断面形状の薬剤案内通路を形成し、薬剤案内通路の終端に吐出口を形成して薬剤を塗布へら部の表面に吐出させるようにした点にある。
【００１０】
これにより、押出し容器から薬剤が押し出されると、薬剤は薬剤案内通路を通って前方に送られ、吐出口から塗布へら部の前端部に吐出されるので、吐出された薬剤を塗布へら部を使って患部にこすりつけると、手指を汚すことなく、しかも患部に均一に塗布することができる。
【００１１】
また、吐出口から吐出されなかった薬剤は薬剤案内通路内に残るが、薬剤案内通路が小径の閉断面形状となっているので、薬剤が空気に触れて変質し劣化するおそれはない。
【００１２】
さらに、薬剤案内通路は押出し容器の口部よりも小径の閉断面形状としているので、押出される薬剤が少量であっても、薬剤案内通路内に残った薬剤が吐出口から吐出され、少量の薬剤を確実に塗布することができる。
【００１３】
また、本発明の他の特徴は塗布へら部の表面を横断面円弧状となすとともに、少なくとも前半部は先端になるほど薄くなるように形成した点にある。
【００１４】
これにより、横断面円弧状の表面が薬剤を皮膚に円滑に塗布し、又狭い患部にも薄い先端部によって薬剤を塗布することができ、さらには塗布した薬剤を塗布へら部の横断面形状の角部が剥ぎ取ってしまうこともない。
【００１５】
塗布へら部は薬剤を患部に擦りつけることができればよく、例えば長さ２０ｍｍ〜５０ｍｍ、幅８ｍｍ〜１５ｍｍのへら状に形成することができる。
【００１６】
薬剤案内通路は塗布へら部に設けられていればよく、例えば小径のチューブを塗布へら部の表面に固着して薬剤案内通路を構成してもよいが、チューブが薬剤の塗布作業の邪魔になるおそれがある。そこで、薬剤案内通路は塗布へら部の内部に穿設するのがよい。
【００１７】
薬剤案内通路は押出し容器の口部よりも小径の閉断面形状であればよく、例えば１ｍｍ〜３ｍｍ程度の円形状に形成することができる。
【００１８】
また、薬剤案内通路内に残った薬剤や送られる薬剤を確認できるのが望ましい。そこで、塗布へら部は少なくとも薬剤案内通路の部分、好ましくは塗布へら部全体を透明又は半透明に形成するのがよい。
【００１９】
キャップ本体及び塗布へら部の材料は特に限定されないが、製造工程や製造コストを考慮すると、合成樹脂材料によって一体形成されるのがよい。
【発明を実施するための最良の形態】
【００２０】
以下、本発明を図面に示す具体例に基づいて詳細に説明する。図１ないし図３は本発明に係る薬剤塗布用キャップの好ましい実施形態を示す。本例の薬剤塗布用キャップ１０はキャップ本体２０及び塗布へら部３０から構成されている。キャップ本体２０は合成樹脂材料を用いて円筒状に製作され、キャップ本体２０の外面には滑止め加工が施される一方、内面には薬剤チューブ５０の口部５１に形成された雄ねじ部５１Ａと螺合し得る雌ねじ部２０Ａが形成されている。
【００２１】
塗布へら部３０は透明又は半透明な合成樹脂材料を用いてキャップ本体２０と一体的にかつ前方に延びて形成され、塗布へら部３０は２０ｍｍ〜５０ｍｍの範囲内の長さ、８ｍｍ〜１５ｍｍの範囲内の幅で横断面円弧状の表面と横断面円弧状の裏面とを重ね合わせた横断面形状をなし、１ｍｍ〜３ｍｍの範囲内の厚さで、前半部が先端になるほど厚みが薄くなるようなへら状に形成されている。
【００２２】
この塗布へら部３０には薬剤案内通路４０がキャップ本体２０内に開口しかつ塗布へら部３０の前部に向けて延びて穿設されている。この薬剤案内通路４０は薬剤チューブ５０の口部５１の内径（例えば１０ｍｍ）よりも小径、例えば１ｍｍ〜３ｍｍの閉断面形状、例えば円形状に形成され、薬剤案内通路４０の終端は塗布へら部３０の前部の表面に小径の吐出口４２として開口されている。
【００２３】
例えば、足指７０の指間に水虫の薬剤６０を塗布する場合、水虫の薬剤チューブ５０からキャップを取り外して口部５１を露出させ、この口部５１の雄ねじ部５１Ａに本例の薬剤塗布用キャップ１０のキャップ本体２０の雌ねじ部２０Ａを螺着すると、口部５１が封鎖されるとともに、キャップ本体２０が薬剤チューブ５０内と連通する。
【００２４】
次に、薬剤チューブ５０を押して薬剤６０を押し出すと、薬剤６０は薬剤チューブ５０の口部５１からキャップ本体２０内部を経て薬剤案内通路４０を前方に送られ、吐出口４１から塗布へら部３０の前端部に吐出される。
【００２５】
そこで、吐出された薬剤６０を塗布へら部３０を使って足指７０の指間にこすりつけると、手指を汚すことなく薬剤を患部に塗布することができる。
【００２６】
このとき、塗布へら部３０は断面円弧状の表裏を重ね合わせて両側縁に向けて薄くかつ先端になるほど薄くなった形状に形成されているので、薬剤６０を患部に均一に塗布することができるばかりでなく、塗布した薬剤６０を塗布へら部３０がこすり取ってしまうことがない。
【００２７】
吐出口４１から吐出されなかった薬剤６０は薬剤案内通路４０内に残留するが、薬剤案内通路４０が小径の閉断面形状となっているので、薬剤６０が空気に触れて変質し劣化するおそれは少ない。
【００２８】
さらに、薬剤案内通路４０は薬剤チューブ５０の口部５１よりも小径の閉断面形状となっているので、必要な薬剤６０が少量であっても、薬剤案内通路４０内に残った薬剤６０が押されて吐出口４１から吐出され、少量の薬剤６０を患部に確実に塗布することができる。
【００２９】
また、塗布へら部３０が透明又は半透明になっているので、薬剤案内通路４０内に残留している薬剤６０、及び薬剤６０が薬剤案内通路４０内を送られている否かを視認することができる。
【図面の簡単な説明】
【００３０】
【図１】本発明に係る薬剤塗布用キャップの好ましい実施形態を示す概略斜視図である。
【図２】上記実施形態における断面及び側面を示す図である。
【図３】上記実施形態における使用方法を模式的に示す図である。
【符号の説明】
【００３１】
１０        薬剤塗布キャップ
２０        キャップ本体
２０Ａ      雌ねじ部
３０        塗布へら部
４０        薬剤案内通路
４１        吐出口
５０        薬剤チューブ（押出し容器）
５１        口部
５１Ａ      雄ねじ部
６０        薬剤
７０        足指
【図１】
2010023859.tif 000003
【図２】
2010023859.tif 000004
【図３】
2010023859.tif 000005